(57)【要約】      （修正有）【課題】シャツの裾をボトムスに入れる服装において、軽快な身体動作を行ってもシャツの裾がボトムスからはみ出さないようにする、腰元の服装・身だしなみ維持のための腰元用服装維持補助具を提供する。【解決手段】土台生地であるグランド３の片面に一方向に一斉に傾斜させた起毛繊維２が接合された補助具１を、補助具の起毛繊維が鉛直下向きの状態で人間のウエストの部分のシャツと起毛繊維が接触するように装着することで、シャツがボトムスからはみ出すことを防止する。【選択図】図１
0003233912.tif 000002
【実用新案登録請求の範囲】
【請求項１】
シャツの裾をボトムスに入れる服装において、軽快な身体動作を行ってもシャツの裾がボトムスからはみ出さないようにする、腰元の服装維持のための補助具であって、
前記の補助具は、
土台生地であるグランドと、
前記グランドの片面にのみ全て同じ方向に傾斜させた、０．５ｍｍ以上１０ｍｍ以下の長さの起毛繊維の群と、
を備えており、
前記の起毛繊維と前記グランドの成す角度が５度以上６０度以下であり、
起毛繊維の傾斜方向を鉛直下向きにした状態で補助具の外観を見たときにその形状が上下非対称且つ左右対称であり、
前記の補助具の厚さは、１ｍｍ以上１０ｍｍ以下であり、
前記の補助具の素材は、ポリエステル、ポリウレタン、アクリル、レーヨン、ポリノジック、キュプラ、アセテート、トリアセテート、プロミックス、ナイロン、綿、絹、麻、ウール、の中から１種類または２種類以上が選択される
ことを特徴とする腰元用服装維持補助具
【請求項２】
請求項１に記載のグランドの起毛繊維の無い側の面に、０．０５ｍｍ以上０．５０ｍｍ以下の厚さの接着性シート層が接合され、さらに前記の接着性シート層の保護のための離型紙が備えられ、さらに請求項１に記載の起毛繊維の傾斜方向を鉛直下向きにした状態で補助具の外観を見たときに正しく上下を判別できるデザインが付与されることを特徴とする腰元用服装維持補助具。
【請求項３】
請求項１に記載のグランドの起毛繊維の無い側の面が、肌着や腹巻を代表とするインナーウェアの外面と接合することを特徴とする腰元用服装維持補助具。
【考案の詳細な説明】
【技術分野】
【０００１】  本考案は、シャツの裾をボトムスに入れる服装において、軽快な身体動作を行ってもシャツの裾がボトムスからはみ出さないようにする腰元の服装維持のための補助具に関する。
【背景技術】
【０００２】  ボトムスからシャツがはみ出さないようにするための従来の技術として、ボトムスのウエスト部分の内側に摩擦力の高いシリコーンゴム素材の補助具を貼り付けるものがある。
【先行技術文献】
【特許文献】
【０００３】
【特許文献１】特許第３４１７８３６号  公報
【特許文献２】特許第６０９３６９８号  公報
【特許文献３】実用新案登録第３１０４６５１号  公報
【特許文献４】実用新案登録第３１１１４９６号  公報
【考案の概要】
【考案が解決しようとする課題】
【０００４】  特許文献１、特許文献２、特許文献３のように摩擦力の高い素材をボトムスのウエスト部分の内側に貼り付ける方法はある程度シャツのはみ出し防止に有効であるが、いったんシャツとボトムスの初期位置からずれると、高摩擦力素材のため、ずれた状態さえも維持してしまい、服装が乱れる結果となる。
特許文献４はベルト形状の補助具の両面に起毛繊維を配置し表側と裏側で繊維の起毛方向を逆にしており、ベルト形状補助具をウエストに巻き付けて装着することでボトムスとシャツのずれを防止する仕組みである。しかしながら特許文献４の補助具は、補助具そのものが衣服からはみ出て表出してしまうという、シャツのはみ出し防止技術ではない観点で大きな欠点がある。さらに特許文献４の補助具は、装着時に起毛繊維の方向が不明なため装着方向を誤りやすく、服装・身だしなみを大きく崩してしまう恐れがある。
【課題を解決するための手段】
【０００５】  本考案の補助具は、土台生地であるグランドに一方向に一斉に傾斜させた起毛繊維を接合するものである。補助具の起毛繊維を鉛直下向きの状態で、人間のウエストの部分のシャツと起毛繊維が接触するように装着することで、シャツがボトムスからはみ出したり、身だしなみが崩れたりすることを防止する。【０００６】  本考案の補助具は、ボトムスのウエスト部分の内側に貼り付けて使用することができる。【０００７】  本考案の補助具は、インナーウェアの外側と接合した形態の製品として装着にて使用することができる、
【考案の効果】
【０００８】  本考案の補助具は起毛繊維を全て鉛直下向きに傾斜させて揃えている。これにより人間が腰を曲げてかがむ動作をした場合には、補助具は摩擦力ある材質として機能しシャツのずれ防止補助具として働く。逆に、人間が腰を曲げた状態から元の姿勢に戻る場合には、補助具の起毛繊維の方向が一斉に鉛直下向きであることから、シャツは起毛繊維上を滑ってシャツがボトムスの中へ入り込んでいく。前述の原理から軽快な動作を行っても整った服装、身だしなみを維持することができる。
【図面の簡単な説明】
【０００９】
【図１】腰元用服装維持補助具の側面図
【図２】腰元用服装維持補助具の正面図
【図３】接着性シート層を備えた場合の腰元用服装維持補助具の側面図
【図４】スパッツに腰元用服装維持補助具を接合した場合の背面図
【考案を実施するための形態】
【００１０】  添付の図面に従って実施するための形態について説明する。グランド３の片面に一方向に一斉に傾斜させた繊維を起毛させる（起毛繊維２）。
本考案の補助具は、繊維の起毛方向を一斉に鉛直下向きに傾斜させた状態で人間の腰元に装着することで効果を発揮する。このときグランド３と起毛繊維２の成す角度は３０度以上４５度以下が望ましい。このため繊維の起毛方向を一目で認識できるように補助具の外観に特徴を持たせる必要がある。本考案の補助具は図２のように外観の上下を非対称、且つ左右を対称、且つ上下を判別できるデザインとすることで、起毛繊維が正しい方向、即ち鉛直下向きの方向にて装着できるようにしている。
【００１１】  本考案の補助具は図３のように、接着性シール４をグランド３に接合することでボトムスの内側のウエスト部分に貼り付けて使用することもできる。
【００１２】  本考案の補助具は図４のようにインナーウェア６の外側の腰元部分に接合する製品としてもよい。
【符号の説明】
【００１３】１        腰元用服装維持補助具
２        一方向に一斉に傾斜させた起毛繊維
３        グランド（土台生地）
４        接着性シート層
５        離型紙
６        インナーウェアに接合させた腰元用服装維持補助具
ａ        グランドと起毛繊維が成す傾斜角度
ｂ        起毛繊維の傾斜方向
【図１】
0003233912.tif 000003
【図２】
0003233912.tif 000004
【図３】
0003233912.tif 000005
【図４】
0003233912.tif 000006
【手続補正書】
【提出日】令和3年6月6日(2021.6.6)
【手続補正１】
【補正対象書類名】実用新案登録請求の範囲
【補正対象項目名】全文
【補正方法】変更
【補正の内容】
【実用新案登録請求の範囲】
【請求項１】
シャツの裾をボトムスに入れる服装において、軽快な身体動作を行ってもシャツの裾がボトムスからはみ出さないようにする、腰元の服装維持のための補助具であって、
前記の補助具は、
土台生地であるグランドと、
前記グランドの片面にのみ全て同じ方向に傾斜させた、０．５ｍｍ以上１０ｍｍ以下の長さの起毛繊維の群と、
を備えており、
前記の起毛繊維と前記グランドの成す角度が５度以上６０度以下であり、
起毛繊維の傾斜方向を鉛直下向きにした状態で補助具の外観を見たときにその形状が上下非対称且つ左右対称であり、
前記の補助具の厚さは、１ｍｍ以上１０ｍｍ以下であり、
前記の補助具の素材は、ポリエステル、ポリウレタン、アクリル、レーヨン、ポリノジック、キュプラ、アセテート、トリアセテート、プロミックス、ナイロン、綿、絹、麻、ウール、の中から１種類または２種類以上が選択されることを特徴とする腰元用服装維持補助具
【請求項２】
前記グランドの起毛繊維の無い側の面に、０．０５ｍｍ以上０．５０ｍｍ以下の厚さの接着性シート層が接合され、さらに前記接着性シート層の保護のための離型紙が備えられ、さらに前記起毛繊維の傾斜方向を鉛直下向きにした状態で補助具の外観を見たときに正しく上下を判別できるデザインが付与されることを特徴とする請求項１記載の腰元用服装維持補助具。
【請求項３】
前記グランドの起毛繊維の無い側の面が、肌着や腹巻を代表とするインナーウェアの外面と接合することを特徴とする請求項１記載の腰元用服装維持補助具。